(57)【要約】【課題】遊技球がＶ入賞するか否かの結果を予想困難として、遊技者の遊技中の興趣を維持しかつ高揚せしめる遊技機の役物を提供すること。【解決手段】Ｖ入賞口を頂部に有するＶ入賞体を囲む環状経路を形成する内周及び外周リングを設け、当該環状経路に入賞した遊技球を導くと共に、該内周リングを上下移動せしめることによって、入賞遊技球を跳ね上げて該Ｖ入賞口に嵌入せしめる遊技機の役物。【選択図】図１
2008212459.tif 000002
【特許請求の範囲】
【請求項１】
遊技機の役物であって、
入賞した遊技球を導入する導入部と、
前記導入部を経由した遊技球を案内する外側案内面を頂面に有する外周リングと、
前記外周リングの内部において上下に移動自在であってかつ頂面に前記遊技球の案内を為し得る内側案内面を有する内周リングと、
前記内周リングを移動させて前記遊技球が前記内側案内面に落下したときに前記遊技球を跳ね上げる位置決め機構と、
前記内周リングの内側において前記遊技球の直径よりも大なる間隙をおいて設けられて前記遊技球を受け入れるＶ入賞口を頂部に有するＶ入賞体と、を有することを特徴とする役物。
【請求項２】
前記Ｖ入賞体は、前記Ｖ入賞口の周囲に少なくとも１つの誘導溝を有することを特徴とする請求項１記載の役物。
【請求項３】
前記内周リングは、前記外周リングとの間に前記遊技球の直径よりも大なる間隙を有することを特徴とする請求項１又は２記載の役物。
【請求項４】
前記内周リングの内側案内面が弾力性を有することを特徴とする請求項１乃至３記載のいずれか１つに記載の役物。
【請求項５】
前記Ｖ入賞体は、回転自在であることを特徴とする請求項２記載の役物。
【発明の詳細な説明】
【技術分野】
【０００１】
本発明は、遊技機に設けられる役物に関する。
【背景技術】
【０００２】
遊技機として、いわゆる役物を備えるパチンコ機が知られており、次のような構成を有している。
【０００３】
遊技球による遊技が展開される遊技領域を備えた遊技盤を前面に有し、遊技球の遊技領域への打ち出し強度を調整するハンドルや遊技球を収容する受け皿が、かかる遊技盤の下方に設けられている。また、遊技領域は、ガイドレールによって囲繞されており、その略中央部にセンター役物を備えている。センター役物の周囲には、遊技釘、風車及び入賞口等が具備されている。さらに、遊技機は、打撃によって遊技球を遊技領域に打ち出す発射装置を所定の位置に有している。該発射装置は、受け皿から送り出される遊技球を簡易なレール構造を介して順次受け取るべく、一般的に受け皿近傍に設置されている。発射装置に導入された遊技球は、ハンドルで調整された打ち出し強度に応じた速度で打ち出され、ガイドレールに沿って延びる誘導レールを経由し、遊技領域内を乱舞しながら流下する。
【０００４】
遊技領域内に打ち出された遊技球が特定の入賞口に入賞すると、センター役物の入口が開く。開口した入口から遊技球がセンター役物内に入ると、かかる遊技球はセンター役物内に設けられた振り分け機構によって、Ｖ入賞口若しくは外れ口に振り分けられる。Ｖ入賞口は大当たりの入賞口であり、Ｖ入賞口に遊技球が入ると多数の賞球が遊技者に払い出されることとなる。従って、遊技者の興味を引き付けるために、センター役物について種々の提案がなされてきている。
【０００５】
従来技術文献としては例えば、特許文献１がある。特許文献１には、遊技球を保持する複数の保持部を有しかつ上下移動可能な回転体と、Ｖ入賞口及び通常入賞口を有しかつ回転体を囲繞するように配置された入賞部と、を備える役物が開示されている。特許文献１に開示される役物は、該回転体を設けることにより遊技球を回転体で振り分け、さらに入賞部でも振り分けることが可能としている。従って、従来の遊技機よりも大当たりするまでの経過が一層趣向性に富んだ態様を遊技者に提示し、遊技者に興味を持たせることが可能となっている。
【特許文献１】特開２００４−２３６８３８号公報
【発明の開示】
【発明が解決しようとする課題】
【０００６】
特許文献１に記載された役物では、回転体に導かれた遊技球をいずれかの保持部に振り分け、さらに回転体が入賞部の高さまで下降すると遊技球が入賞部のＶ入賞口若しくは通常入賞口のいずれかに入賞することとなる。その結果、かかる役物が備えられたパチンコ機を操作する遊技者は、遊技球が回転体に導入される時点に、回転体における遊技球の位置に応じて最終的な振り分け先を予測することが可能となる。
【０００７】
従って、回転体における遊技球の位置が遊技者にとって不利な結果を提供することを遊技者に予想させると、振り分けによる最終結果が得られる前の早期段階で遊技球の振り分けに対する遊技者の関心が失われてしまう。結果的に、パチンコ機に対する魅力が低下することとなっていた。
【０００８】
また、特許文献１に記載された役物において、遊技球は回転体及び入賞部の底面に触れたまま回転体等の働きにより、入賞部のＶ入賞口又は通常入賞口に導かれることとなっている。かかる構成では、遊技球が常に回転体等の底面に接触している故、Ｖ入賞口等の設置場所が限られてしまう。よって、役物全体の構成としてのバリエーションには限界があり、従来の役物を単に複雑化させただけの構成になるという問題がある。
【０００９】
本発明は、以上の如き事情に鑑みてなされたものであり、遊技球がＶ入賞するまでかかる結果を予想することが困難となるようにして、遊技者の遊技中の興趣を維持しかつ高揚せしめる遊技機の役物を提供することを目的としている。
【課題を解決するための手段】
【００１０】
上述した課題を解決するために、本発明によれば、遊技機の役物であって、入賞した遊技球を導入する導入部と、前記導入部を経由した遊技球を案内する外側案内面を頂面に有する外周リングと、前記外周リングの内部において上下に移動自在であってかつ頂面に前記遊技球の案内を為し得る内側案内面を有する内周リングと、前記内周リングを移動させて前記遊技球が前記内側案内面に落下したときに前記遊技球を跳ね上げる位置決め機構と、前記内周リングの内側において前記遊技球の直径よりも大なる間隙をおいて設けられて前記遊技球を受け入れるＶ入賞口を頂部に有するＶ入賞体と、を有することを特徴とする役物が提供される。
【００１１】
前記Ｖ入賞体は、例えば、前記Ｖ入賞口の周囲に少なくとも１つの誘導溝を有する。また、前記Ｖ入賞体は、例えば、回転自在である。
【００１２】
前記内周リングは、例えば、前記外周リングとの間に前記遊技球の直径よりも大なる間隙を有する。前記役物は、前記内周リングの内側案内面に、例えば、弾力性を有する。
【発明の効果】
【００１３】
本発明による遊技機の役物によれば、導入部から外周リングに導かれた遊技球を内周リングの内側案内面に落下させ、落下した遊技球が内側案内面と衝突することによりＶ入賞体に向かって跳ね上げられるようにした故、遊技球がＶ入賞するか否かの結果を予想することが困難となり、遊技者の遊技中の興趣を維持しかつ高揚せしめるのである。
【発明を実施するための最良の形態】
【００１４】
以下、本発明の実施例としての役物を含むパチンコ機について、添付図面を参照しつつ詳細に説明する。
【実施例】
【００１５】
図１から判るように、パチンコ機１０は、本体基部となる本体枠１１と、本体枠１１の内部に配置された遊技盤１２と、遊技盤１２の前方に設けられていて本体枠１１に対して開閉自在な前面枠１３と、を有する。遊技盤１２は、その盤面上にガイドレール１４で囲まれた遊技領域１２aを備えており、かかる遊技領域１２aに向けて遊技球が打ち出される。
【００１６】
前面枠１３の下方には、下扉枠１５が設けられている。下扉枠１５には、遊技者が保有する遊技球を収容する受け皿１５ａと、遊技球の発射の制御及び発射強度を制御するためのハンドル１６と、が設けられている。ハンドル１６は、パチンコ機１０の右側部に配置されておりかつ遊技者が握りやすいように下扉枠１５の表面高さから突出している。ハンドル１６には、人体が触れることに応答して接触信号を生成する接触検知センサ（図示せず）が設けられている。当該接触検知センサから出力される接触信号は、パチンコ機１０の背面側に設けられた制御装置（図示せず）に入力される。
【００１７】
また、ハンドル１６には、所定の角度範囲内で回動自在な打出調整部１７が設けられている。打出調整部１７は、パチンコ機１０の背面側に設けられた遊技球の発射装置（図示せず）を駆動せしめる操作スイッチになっており、打出調整部１７を基準位置から時計回り方向に回動せしめることによって該発射装置が作動するようになっている。打出調整部１７は、バネ等の弾性体により反時計回り方向への付勢力が付与されており、待機状態においては基準位置に位置している。基準位置とは打ち出し調整部１７の回動量がゼロである位置をいい、かかる位置に打出調整部１７が位置している場合には、遊技球は遊技盤１２の遊技領域１２ａに打ち出されないようになっている。
【００１８】
遊技盤１２には、遊技球の流下方向を変化せしめる多数の遊技釘（図示せず）が植設され、更には、風車等の役物（図示せず）が設けられている。また、遊技盤１２の最下部には入賞しなかった遊技球を回収するアウト口（図示せず）が設けられている。
【００１９】
また、遊技盤１２のほぼ中央には、センター役物が設けられており、例えばセンター役物は、いわゆる特別電動役物等の入賞領域を有する入賞装置１８である。入賞装置１８は、当該機構内への遊技球の通過の許否を振り分わける1対の羽根１９ａ、１９ｂ、遊技球のＶ入賞の許否を振り分わける振り分け装置２０及び振り分け装置２０の主面上に遊技球を導入する導入路２１を有する。
【００２０】
羽根１９ａ、１９ｂは、遊技盤１２に設けられた始動口すなわちチャッカー２２ａ、２２ｂ、２２ｃを通過することを契機として開閉することとしても良い。例えば、各チャッカーには、通過検知センサ（図示せず）が備えられ、遊技球の球検知信号を後述する制御装置に送信することを可能とし、制御装置は、メインチャッカー２２ａの球検知信号を受信した場合には羽根１９ａ、１９ｂを2回開き、サブチャッカー２２ｂ、２２ｃの球検知信号を受信した場合には羽根１９ａ、１９ｂを1回開くこととしても良い。羽根１９ａ、１９ｂが開状態にあるときに、遊技球を入賞装置１８内に導くことが可能になる。
【００２１】
羽根１９ａ、１９ｂから入賞装置１８に導かれた遊技球は、導入路２１を経て振り分け装置２０に導かれる。例えば導入路２１は、羽根１９ａ、１９ｂの各々から振り分け装置２０の上部主面の外周にまで至っている。なお、導入路２１は、各羽根から振り分け装置２０までの独立した経路に限定されず、各羽根から導入された遊技球を途中から同一経路にて振り分け装置２０へ導入せしめる構造であっても良い。
【００２２】
また、振り分け装置２０の下方には、後述する間隙及びＶ入賞口を通過した遊技球をパチンコ機１０の外部へ排出するための通路（図示せず）等を設けても良い。
【００２３】
次に、図２乃至図４を参照しつつ振り分け装置２０の１例について詳細に説明する。
【００２４】
図２及び図3に示されているように、振り分け装置２０は、導入路２１と接続する外周リング３１、上下に移動自在な内周リング３２、遊技球のＶ入賞のためのＶ入賞口３３及び誘導溝３４を有するＶ入賞体３５、並びに外周リング３１及びＶ入賞体３５を固定するための底板３６と、から構成されている。内周リング３２は、遊技球の直径よりも大なる第１間隙３７をおいて外周リング３１の内側領域に設けられている。また、Ｖ入賞体３５についても、第１間隙３７と同様な第２間隙３８をおいて内周リング３２の内側領域に設けられている。例えば、第１間隙３７及び第２間隙３８は、各間隙において遊技球が挟まらなければよいので、遊技球の直径の約１．１倍であっても良い。また、遊技球のＶ入賞する確率を上げるために、外周リング３１と内周リング３２を隣接させ（すなわち第１間隙３７をなくす）、入賞装置１８に導かれた遊技球のいずれもが内周リング３２までに到達させるようにしても良い。
【００２５】
図２乃至図４に示されているように、外周リング３１は、所定の幅及び厚みのリング形状を備えている。例えば、外周リング３１を入賞装置１８内に配置させるために、外周リング３１のリング幅は、入賞装置１８の上下方向の幅に対して約１／３の幅でも良い。
【００２６】
また、外周リング３１の厚みは、外周リング３１の頂面上を遊技球が回転するために、例えば、遊技球の約２倍としても良い。外周リング３１の底面は底板３６に固定されている。外周リング３１の頂面には、導入路２１から導かれた遊技球を内周リング３２に案内するための、内周リング３２側に向かって下り傾斜する外側案内面３９が設けられている。外周リング３１に導入された遊技球を直ちに内周リング３２に案内するのではく、一定の時間外側案内面３９上を回転せしめるべく、導入路２１は外周リング３１の接線方向から遊技球を導入するように外周リング３１と接続しているとしても良い。さらに、遊技球を外側案内面３９上を回転せしめるべく、外側案内面３９に溝（図示せず）を設けても良い。従って、上述したような外側案内面３９の構成によって、外周リング３１に導かれた遊技球は、外周リング３１の外側案内面３９上を回転しながら徐々に内周リング３２へ案内されることとなる。
【００２７】
図２乃至図４に示されているように、内周リング３２は、外周リング３１と同様に所定の幅及び厚みのリング形状を備えている。後述するように内周リング３１は、外周リング３１から落下する遊技球を跳ね上げる故、内周リング３２の幅は、基本的に外周リング３１の幅よりも短いことが望ましい。また、内周リング３２の厚みは、外周リング３１の厚みよりも薄く、例えば、遊技球の直径と同じでも良い。内周リング３２の頂面には、外周リング３１から案内された遊技球をＶ入賞体３５若しくは第２間隙３８に案内するための、Ｖ入賞体３５側向かって下り傾斜する内側案内面４０が設けられている。
【００２８】
入賞装置１８には、外周リング３１から落下した遊技球をＶ入賞体３５に跳ね上げるために、内周リング３２の位置決めを行なう機構として、位置決め駆動部４１が設けられている。例えば、位置決め駆動部４１は、内周リング３２に固着されたラック４１ａを有している。ラック４１ａは、自身に噛み合ったピニオン４１ｂの回転によって上下せしめられる。ピニオン４１ｂには、位置決め駆動ロッド４１ｃを介して位置決め駆動機構４１ｄが接続されている。例えば、位置決め駆動機構４１ｄは、モータ等であっても良い。従って、位置決め駆動機構４１ｄの回転によってピニオン４１ｂが回転せしめられることにより、ラック４１ａ及び内周リング３２は、上下に移動自在となる。このときのラック４１ａ及び内周リング３２の上下の移動は、位置決め駆動機構４１ｄの回転方向によって決定される。例えば、位置決め駆動機構４１ｄの回転が右回転の場合には、ラック４１ａ及び内周リング３２は、上方向に移動し、左回転の場合には下方向に移動するものとしても良い。位置決め駆動機構４１ｄの回転制御は、後述する制御装置から送られる駆動信号によってされるものとしても良く、遊技球が入賞装置１８に導かれたことを契機に駆動信号を送信しても良い。また、一定周期で常に内周リング３２を上下移動せしめるように駆動信号を送信しても良い。なお、位置決め駆動部４１は、図４のごとく２つとは限られず、１つ若しくは３つ以上設けても良い。
【００２９】
また、位置決め駆動部４１は、上記構成に限られることなく、例えば、電磁石を用いて磁力により内周リング３２を上下に移動せしめる構成としても良い。
【００３０】
位置決め駆動４１の駆動によって、内周リング３２が上下に移動自在となり、内周リング３２に案内された遊技球は、内側案内面４０との衝突によりＶ入賞体に向かって跳ね上げられ又は跳ね上げられずに第２間隙３８に案内されることとなる。具体的には、例えば、内周リング３２が上方向に移動している場合には、外周リング３１から落下した遊技球は、Ｖ入賞体３５に向かって跳ね上げられる可能性が高くなる。一方で、内周リング３２が下方向に移動している場合には、外周リング３１から落下した遊技球は、Ｖ入賞体３５に向かって跳ね上げられず、第２間隙３８へ案内される可能性が高くなる。
【００３１】
また、内周リング３２は、位置決め駆動４１の駆動によって、外周リング３１よりも高い位置にまで移動することとしても良い。内周リング３２が外周リング３１よりも高い位置に位置決めされている場合には、外周リング３１から落下する遊技球は、内周リング３２の外周側面に衝突することとなり、内側案内面４０には到達することがなくなる。
【００３２】
さらに、内周リング３２の内側案内面４０に弾性体４２を設けることで遊技球のＶ入賞体３５への案内を調整しても良い。例えば、弾性体４２は、弾力性を有するゴム等を用いても良い。
【００３３】
図３及び図４に示されているように、外周リング３１の内側側面には、２つの突起４３を有している。突起４３は、内側案内面４０に到達できずに第１間隙３７を落下する遊技球から位置決め駆動４１を保護するために設けられている。従って、突起４３は、位置決め駆動４１の近傍に設けられかつ、内周リング３２に接しない大きさであることが望ましい。また、突起４３は２つに限定されることはなく、位置決め駆動部４１の数量に応じて設けることとしても良い。
【００３４】
図２及び図４に示されているように、Ｖ入賞体３５は、円柱状でありかつ遊技球が導かれる主面は、中央部が膨出している形状である。Ｖ入賞体３５の主面の中央には、Ｖ入賞口３３が設けられている。また、Ｖ入賞体３５の内部には、Ｖ入賞口３３からＶ入賞した遊技球をＶ入賞体３５の外部に排出するためのＶ入賞通路４４が設けられている。さらに、Ｖ入賞体３５の他端面は、回転駆動ロッド４５を介して回転駆動機構４６と接続されている。また、回転駆動機構４６は、底板３６と固着されている。従って、Ｖ入賞体３５は、回転駆動機構４６の回転周期（例えば１／１０秒）にて回転する。なお、Ｖ入賞体３５は、円柱状に限られることなく、その他の立体形状（例えば、円錐台状若しくは直方体等）としても良い。また、Ｖ入賞体３５は、回転させることなく底板３６に直接固定しても良い。
【００３５】
Ｖ入賞口３３の周囲には、Ｖ入賞体３５の外周からＶ入賞口３３に至る４つの誘導溝３４が設けられている。従って、遊技球は、Ｖ入賞口３３に向かって誘導溝３４上を移動すればＶ入賞口３３までの到達の確率が上がることとなる。逆に、誘導溝３４を横切る経路上を移動するとＶ入賞口３３までの到達の確率は下がることとなる。上述したように、Ｖ入賞体３５は、所定の回転周期にて回転している故、内周リング３２に対する誘導溝３４の位置は常に変化することとなり、Ｖ入賞口３３へ到達しやすい誘導溝３４の経路は常に変化することとなる。従って、Ｖ入賞するか否かは、遊技球の内周リング３２によって跳ね上げられる方向、高さ、タイミングによって決まることとなる。なお、誘導溝３４は上記形状及び数量に限られることはなく、設定する入賞確率に応じて誘導溝３４の形状及び数量を変更しても良い。
【００３６】
遊技球がＶ入賞口３３を通過すると、Ｖ入賞体３５の内部に設けられたＶ入賞検知センサ４７は、球検知信号を後述する制御装置に供給し、制御装置は、遊技者に有利な特定遊技状態（大当たり遊技状態ともいう）が提供されるようにパチンコ機１０を駆動する。ここで特定遊技状態とは、パチンコ機１０が短時間に大量の賞球を払い出すチャンスを遊技者に付与している状態を言い、例えば、羽根１９ａ、１９ｂを複数回にわたって開閉させて遊技球を入賞装置１８内へ導き易くしている状態をいう。羽根１９ａ、１９ｂを開閉させる場合、制御装置は、羽根開閉機構（図示せず）に開閉駆動信号を供給する。
【００３７】
また、底板３６には、遊技球を振り分け装置２０の外部へ排出する排出口４８が設けられており、排出口４８には、遊技球の通過を検知する排出検知センサ４９が設けられている。第１間隙３７及び第２間隙３８から落下した遊技球並びにＶ入賞した遊技球が排出口４８通過すると、排出検知センサ４９は球排出検知信号を後述する制御装置に供給し、制御装置は賞球払出装置（図示せず）に払出信号を供給する。賞球払出装置は、該払出信号に応じて、所定数の賞球を遊技者に払い出す。なお、排出口４８は２つとは限られず、１つ若しくは３つ以上であっても良い。
【００３８】
次に、本実施例のパチンコ機１０の制御装置５０について図５を参照しつつ説明する。図５に示されているように、制御装置５０は、マイクロコンピュータ等からなり遊技機の遊技動作の制御を行う。
【００３９】
制御装置５０は、ハンドル１６に設けられた接触検知センサ５１からの接触検知信号及びハンドル１６の操作状況の信号を受信する。制御装置５０は、接触検知センサ５１及びハンドル１６からの信号に基づいて発射装置５２を駆動させる。
【００４０】
制御装置５０は、各チャッカーに設けられた通過検知センサ５３ａ〜５３ｃから通過検知信号を受信すると、羽根１９ａ、１９ｂを複数回にわたって開閉させるために羽根開閉機構５４を制御する。
【００４１】
また、制御装置５０は、大当たりを検知するＶ入賞検知センサ４７からＶ入賞検知信号を受信する。制御装置５０は、かかるＶ入賞検知信号を受信することで大当たり状態であることを検知し、各チャッカーを遊技球が通過したときと同様に、羽根１９ａ、１９ｂを複数回にわたって開閉させるために羽根開閉機構５４を制御する。さらに、制御装置５０は、遊技球が振り分け装置２０から排出されると、排出検知センサ４９から球排出検知信号を受信する。制御装置５０は、かかる排出球検知信号を受信すると、賞球払出装置５５から賞球を払い出す制御を行う。
【００４２】
また、制御装置５０は、位置決め駆動機構４１ｄ及び回転駆動機構４６による内周リング３２の上下移動及びＶ入賞体３５の回転を制御すべく駆動制御を行なう。さらに、制御装置５０は、遊技状態の変化に伴ってランプ等の電飾装置５６等を制御する。
【００４３】
以上のように、本発明の実施例の遊技機の役物は、外周リング、上下移動自在な内周リング及びＶ入賞体を備えている故、遊技球の振り分け結果に変化を生ぜしめつつ遊技球のＶ入賞するか否かの結果を予想することが困難とすることで、遊技者の興趣を維持しかつ高揚せしめることが可能となっている。
【図面の簡単な説明】
【００４４】
【図１】本発明の実施例を含む遊技機の外観正面図である。
【図２】本発明の実施例の１部である振り分け装置の斜視図である。
【図３】本発明の実施例の１部である振り分け装置の上面図である。
【図４】図３のIV―IV一点鎖線に沿った断面図である。
【図５】本発明の実施例による遊技機の制御装置のブロック図である。
【符号の説明】
【００４５】
１０  パチンコ機（遊技機）
１２  遊技盤
１８  入賞装置
２０  振り分け装置
２１  導入路
３１  外周リング
３２  内周リング
３４  誘導溝
３５  Ｖ入賞体
４１  位置決め駆動部
【図１】
2008212459.tif 000003
【図２】
2008212459.tif 000004
【図３】
2008212459.tif 000005
【図４】
2008212459.tif 000006
【図５】
2008212459.tif 000007